【手続補正書】
【提出日】平成18年8月29日(2006.8.29)
【手続補正１】
【補正対象書類名】特許請求の範囲
【補正対象項目名】全文
【補正方法】変更
【補正の内容】
【特許請求の範囲】
【請求項１】
ディスク状記録媒体に記録されたコンテンツデータを再生するディスク再生装置において、
上記ディスク状記録媒体の各トラックに記録されたコンテンツデータに関する属性情報を取得する属性情報取得手段と、
上記取得された属性情報に基づいて上記コンテンツデータを分類するための分類項目を表示する第１のモードと、その再生方法を表示する第２のモードに基づいて、ユーザにいずれかの分類項目並びにその再生方法の指定を促すための表示手段と、
上記表示手段により表示される分類項目並びにその再生方法を指定するための指定手段と、
少なくとも上記指定手段を介して指定された分類項目に属するコンテンツデータを、上記指定手段を介して指定された再生方法に基づいて再生させる再生制御手段とを備えること
を特徴とするディスク再生装置。
【請求項２】
上記表示手段は、上記コンテンツデータを直接指定するための分類項目を、上記第１のモードにおいて表示する分類項目に含めること
を特徴とする請求項１記載のディスク再生装置。
【請求項３】
上記表示手段は、上記コンテンツデータを任意のグループに集合化した分類項目、及び／又は上記コンテンツデータに関する属性情報としてのアルバムタイトル、演奏者名に応じた分類項目を、上記第１のモードにおいて表示する分類項目に含めること
を特徴とする請求項１記載のディスク再生装置。
【請求項４】
上記表示手段は、上記第２のモードにおいて表示する再生方法として、１曲再生、全曲再生、ランダム再生を含めること
を特徴とする請求項１記載のディスク再生装置。
【請求項５】
上記表示手段は、上記第２のモードにおいて表示する再生方法として、リピート再生を含めること
を特徴とする請求項４記載のディスク再生装置。
【請求項６】
上記表示手段は、上記指定手段を介して指定された分類項目並びにその再生方法に応じて表示内容を切り換えること
を特徴とする請求項１記載のディスク再生装置。
【請求項７】
上記表示手段は、上記コンテンツデータの再生時又は再生停止時において、上記指定手段を介した所定の指定操作を受けつけた場合には、上記指定手段により指定された分類項目に属するコンテンツデータの何れかを直接指定させるように表示内容を切り換えること
を特徴とする請求項１記載のディスク再生装置。
【請求項８】
ディスク状記録媒体に記録されたコンテンツデータを再生するディスク再生方法において、
上記ディスク状記録媒体の各トラックに記録されたコンテンツデータに関する属性情報を取得する属性情報取得ステップと、
上記取得した属性情報に基づいて上記コンテンツデータを分類するための分類項目を表示する第１のモードと、その再生方法を表示する第２のモードに基づいて、ユーザにいずれかの分類項目並びにその再生方法の指定を促すため表示ステップと、
上記表示ステップにおいて表示される分類項目並びにその再生方法を指定するための指定ステップと、
少なくとも上記指定ステップにおいて指定された分類項目に属するコンテンツデータを、上記指定された再生方法に基づいて再生させる再生制御ステップとを有すること
を特徴とするディスク再生方法。
【請求項９】
上記表示ステップでは、上記コンテンツデータを直接指定するための分類項目を、上記第１のモードにおいて表示する分類項目に含めること
を特徴とする請求項８記載のディスク再生方法。
【請求項１０】
上記表示ステップでは、上記コンテンツデータを任意のグループに集合化した分類項目、及び／又は上記コンテンツデータに関する属性情報としてのアルバムタイトル、演奏者名に応じた分類項目を、上記第１のモードにおいて表示する分類項目に含めること
を特徴とする請求項８記載のディスク再生方法。
【請求項１１】
上記表示ステップでは、上記第２のモードにおいて表示する再生方法として、１曲再生、全曲再生、ランダム再生を含めること
を特徴とする請求項８記載のディスク再生方法。
【請求項１２】
上記表示ステップでは、上記第２のモードにおいて表示する再生方法として、リピート再生を含めること
を特徴とする請求項１１記載のディスク再生方法。
【請求項１３】
上記表示ステップでは、上記指定ステップにおいて指定された分類項目並びにその再生方法に応じて表示内容を切り換えること
を特徴とする請求項８記載のディスク再生方法。
【請求項１４】
上記表示ステップでは、上記コンテンツデータの再生時又は再生停止時において、上記指定ステップにおける所定の指定操作を受けつけた場合には、上記指定ステップにおいて指定された分類項目に属するコンテンツデータの何れかを直接指定させるように表示内容を切り換えること
を特徴とする請求項８記載のディスク再生方法。
【手続補正２】
【補正対象書類名】明細書
【補正対象項目名】００１８
【補正方法】変更
【補正の内容】
【００１８】
本発明では、上述した課題を解決するために、ディスク状記録媒体の各トラックに記録されたコンテンツデータに関する属性情報を取得し、取得した属性情報に基づいてコンテンツデータを分類するための分類項目を表示する第１のモードとその再生方法を表示する第２のモードに基づいてユーザにいずれかの分類項目並びにその再生方法の指定を促し、指定された分類項目に属するコンテンツデータを指定された再生方法に基づいて再生させる。
【手続補正３】
【補正対象書類名】明細書
【補正対象項目名】００１９
【補正方法】変更
【補正の内容】
【００１９】
即ち、本発明を適用したディスク再生装置は、ディスク状記録媒体に記録されたコンテンツデータを再生するディスク再生装置において、ディスク状記録媒体の各トラックに記録されたコンテンツデータに関する属性情報を取得する属性情報取得手段と、取得された属性情報に基づいてコンテンツデータを分類するための分類項目を表示する第１のモードとその再生方法を表示する第２のモードに基づいてユーザにいずれかの分類項目並びにその再生方法の指定を促すための表示手段と、表示手段により表示される分類項目並びにその再生方法を指定するための指定手段と、少なくとも指定手段を介して指定された分類項目に属するコンテンツデータを指定手段を介して指定された再生方法に基づいて再生させる再生制御手段とを備える。
【手続補正４】
【補正対象書類名】明細書
【補正対象項目名】００２０
【補正方法】変更
【補正の内容】
【００２０】
また、本発明を適用したディスク再生方法は、ディスク状記録媒体に記録されたコンテンツデータを再生するディスク再生方法において、ディスク状記録媒体の各トラックに記録されたコンテンツデータに関する属性情報を取得する属性情報取得ステップと、上記取得した属性情報に基づいてコンテンツデータを分類するための分類項目を表示する第１のモードとその再生方法を表示する第２のモードに基づいてユーザにいずれかの分類項目並びにその再生方法の指定を促すため表示ステップと、表示ステップにおいて表示される分類項目並びにその再生方法を指定するための指定ステップと、少なくとも指定ステップにおいて指定された分類項目に属するコンテンツデータを、指定された再生方法に基づいて再生させる再生制御ステップとを有する。
【手続補正５】
【補正対象書類名】明細書
【補正対象項目名】００２１
【補正方法】変更
【補正の内容】
【００２１】
本発明では、ディスク状記録媒体の各トラックに記録されたコンテンツデータに関する属性情報を取得し、取得した属性情報に基づいてコンテンツデータを分類するための分類項目を表示する第１のモードとその再生方法を表示する第２のモードに基づいてユーザにいずれかの分類項目並びにその再生方法の指定を促し、指定された分類項目に属するコンテンツデータを指定された再生方法に基づいて再生させる。